(57)【要約】【課題】            火種が消えないで長時間安定的に使うことができる薪ボイラーを提供する。【解決手段】        木材燃料及び燃焼空気を投入するための投入口と、煙突が連結されるように上部に形成される排煙出口と、前記排煙出口に隣接して形成される空気投入孔と、低湯水が収容される低湯水収容部とを有するボイラー本体と；前記投入口を開閉させるように前記ボイラー本体に設置され、前記投入口を塞いだ状態で、前記ボイラー本体の内部に外部空気を選択的に供給及び遮断するメイン開閉ユニットと；前記メイン開閉ユニットを通じる外部空気の投入が遮断される場合、外部空気を前記ボイラー本体の内部に供給する補助開閉ユニットと；前記低湯水の温度を感知する温度センサーと；前記温度センサーで感知された温度情報に基づいて前記メイン開閉ユニットを通じる空気の投入及び遮断を制御する制御部とを含み、前記低湯水収容部は前記ボイラー本体の全体にかけて一体に形成されて、前記メイン開閉ユニットを通じる外部空気の投入が遮断される場合、前記補助開閉ユニットを通じて外部空気が前記ボイラー本体の内部に供給されて前記木材燃料の火種を保持することを特徴とする。【選択図】          図２
2013531775.tif 000002
【特許請求の範囲】
【請求項１】
木材燃料及び燃焼空気を投入するための投入口と、煙突が連結されるように上部に形成される排煙出口と、前記排煙出口に隣接して形成される空気投入孔と、低湯水が収容される低湯水収容部を有するボイラー本体と；
前記投入口を開閉させるように前記ボイラー本体に設置され、前記投入口を塞いだ状態で、前記ボイラー本体内部へ外部空気を選択的に供給及び遮断するメイン開閉ユニットと；
前記メイン開閉ユニットを通じる外部空気の投入が遮断される場合、外部空気を前記ボイラー本体の内部に供給する補助開閉ユニットと；
前記低湯水の温度を感知する温度センサーと；
前記温度センサーで感知された温度情報に基づいて、前記メイン開閉ユニットを通じる空気の投入及び遮断を制御する制御部と；を含み、
前記低湯水収容部は前記ボイラー本体の全体にかけて一体に形成され、前記メイン開閉ユニットを通じる外部空気の投入が遮断される場合、前記補助開閉ユニットを通じて外部空気が前記ボイラー本体の内部に供給されて、前記木材燃料の火種を保持することを特徴にする薪ボイラー。
【請求項２】
前記ボイラー本体の内部にはその内部空間を上部及び下部に隔離するように設置される火室天井部材がその内部を横切るように設置され、
前記ボイラー本体の内部空間は、前記火室天井部材の下部に設けられて、前記木材燃料を燃焼させるための燃焼室と、前記火室天井部材の上部に設けられて、前記燃焼室と前記排煙出口とを連結する連結通路とに分けられることを特徴とする請求項１に記載の薪ボイラー。
【請求項３】
前記火室天井部材は、前記ボイラー本体の内部空間で水平方向に横切るように設置され、内部に前記低湯水収容部を有することを特徴とする請求項２に記載の薪ボイラー。
【請求項４】
前記火室天井部材の下面には所定深さに凹まれて形成されて、前記燃焼室の熱気が留まるようにする陷沒部が形成され、前記火室天井部材の上面は前記排煙出口の方へ行くほど上向きに傾斜されるように形成されることを特徴とする請求項２に記載の薪ボイラー。
【請求項５】
前記連結通路と前記排煙出口との境界部分に位置されるように、前記連結通路の天井に設置されて、前記連結通路を通じて外部に排出される燃焼熱気を停滞させる遮断部材をさらに含むことを特徴とする請求項２に記載の薪ボイラー。
【請求項６】
前記低湯水収容部に収容された低湯水が加熱されて、前記低湯水収容部内の圧力が上昇する時、前記低湯水収容部内の圧力によって回動されながら圧力を下降させるように、前記ボイラー本体の上部に回動可能に設置される圧力調節部材をさらに含むことを特徴とする請求項２に記載の薪ボイラー。
【請求項７】
前記メイン開閉ユニットは、
前記投入口を開閉させるように前記ボイラー本体に設置され、前記投入口側に外部空気を注入するように形成される空気注入口を有するメイン開閉ドアと；
前記メイン開閉ドアの内部に設置されて、前記制御部によって駆動制御され、駆動の時、外部空気を前記空気注入口を通じて前記ボイラー本体の内部空間に供給する送風機と；
前記空気注入口を遮断する遮断位置と開放させる開放位置との間を移動可能に、前記メイン開閉ドアに結合される通風口開閉部材と；
前記制御部の制御信号によって駆動されて、前記通風口開閉部材を前記開放位置と遮断位置との間で移動させる開閉モーターと；を含むことを特徴とする請求項１〜６の中の何れか一項に記載の薪ボイラー。
【請求項８】
前記補助開閉ユニットは、
前記空気投入孔を開閉させるように前記ボイラー本体に設置され、空気が流入される中間流入口と、空気が排出される中間排出口とが互いに離間されるように形成される補助開閉ドアと；
前記補助開閉ドアの前面に結合され、外部空気が流入される外側流入口が形成される外側ドアと；
前記補助開閉ドアの背面に結合され、前記中間排出口を通じて排出された空気を前記ボイラー本体の内部に流入させる内側流出口が形成される内側ドアと；を含むことを特徴とする請求項１〜６の中の何れか一項に記載の薪ボイラー。
【請求項９】
前記外側流入口は前記外側ドアの下部領域に配置され、前記中間流入口は前記補助開閉ドアの下部領域に配置され、前記中間排出口は前記補助開閉ドアの上部領域に配置され、前記内側流出口は前記内側ドアの下部領域に配置され、外部空気は前記ボイラー本体の内部に流入され、前記ボイラー本体内部の燃焼ガスは前記ボイラー本体の外部に排出されることができないことを特徴とする請求項８に記載の薪ボイラー。
【発明の詳細な説明】
【技術分野】
【０００１】
本発明は薪ボイラーに関し、より詳しくは、木材を主原料にして熱エネルギーを得ることができる薪ボイラーに関する。
【背景技術】
【０００２】
一般に、ボイラーはエネルギー源が燃焼しながら発生する燃焼熱を利用して、常温の水を加熱させ、加熱された水を室内の底に埋設されたパイプ内を循環させて暖房させるようにするか、給湯温水を使うことができるようにするためのものである。このように熱エネルギーを得るために燃焼させるエネルギー源によって、電気ボイラー、ガスボイラー、油類ボイラー、油類とガスの長所を有する油類兼用電気ボイラーなどがある。
【０００３】
上記ガスボイラー、電気ボイラー及び油類兼用電気ボイラーなどは、点火、燃焼、消火などの機能を容易に制御することができるので、家庭や施設物などで広く使われている。
【０００４】
しかしながら、最近、電気及び油類などのエネルギー価格が継続的に上昇しており、特に、韓国の場合には、エネルギー資源が乏しくて、大部分を外国から輸入している実情から、上記のように費用の高いエネルギーをエネルギー源として使うボイラーを使うことは経済的負担が大きい。
【０００５】
従って、代替エネルギーの開発が活発に行われており、その中の一つが低費用で容易に手に入れることができる木材などを燃料にして使うことができる薪ボイラーが最近になって注目されている。
【０００６】
ところが、薪ボイラーは主エネルギー源である木材の燃焼特性上、既存の電気や油類、ガスなどのようにエネルギー源の供給及び遮断が自由にできなくて、その点火、燃焼、消火などを容易に制御することができないという不便があった。
【０００７】
このような不便を改善するために、木材の燃焼の時、空気の供給を遮断した薪ボイラーが提案された。しかし、空気の供給を制御しても木材の種類、木材の太さや大きさ及び木材の水気含有程度、火種の保存時間、使用者の性向などの多様な外部要因によってやはり点火、燃焼及び消火時期を制御しにくいという問題点があった。
【０００８】
即ち、木材の消火後、次の燃焼のための点火火種が消えないように保持するための適正酸素供給の基準値を決めにくくて、火種が消えてしまって、再燃焼が困難であったり、酸素の過剰供給によって不必要な燃焼が行われて、過熱及び燃料が無駄使いされる問題があった。
【０００９】
また、木材が燃焼されながら発生する熱エネルギーが大部分煙突を通じて外部に排出されるため、エネルギーの損失が多いという問題点があり、且つ火力の調節が難しくてボイラーの低湯水の温度を一定に保持することが難しいという問題点がある。
【発明の概要】
【発明が解決しようとする課題】
【００１０】
本発明の目的は、上述した問題点を解決するためのもので、酸素の供給量を制御して火種が消える現象及び過燃焼を效率的に防止することができる薪ボイラーを提供することにある。
【００１１】
本発明の他の目的は、木材の燃焼の時発生するエネルギーの熱效率を高め、長期間使用しながらも低湯水の温度を制御することができるように改善された薪ボイラーを提供することにある。
【課題を解決するための手段】
【００１２】
上記目的を達するための本発明の薪ボイラーは、木材燃料及び燃焼空気を投入するための投入口と、煙突が連結されるように上部に形成される排煙出口と、上記排煙出口に隣接して形成される空気投入孔と、低湯水が収容される低湯水収容部とを有するボイラー本体と；上記投入口を開閉させるように上記ボイラー本体に設置され、上記投入口を塞いだ状態で上記ボイラー本体内部に外部空気を選択的に供給及び遮断するメイン開閉ユニットと；上記メイン開閉ユニットを通じる外部空気の投入が遮断される場合、外部空気を上記ボイラー本体の内部に供給する補助開閉ユニットと；上記低湯水の温度を感知する温度センサーと；上記温度センサーで感知された温度情報に基づいて上記メイン開閉ユニットを通じる空気の投入及び遮断を制御する制御部とを含み、上記低湯水収容部は上記ボイラー本体の全体にかけて一体に形成され、上記メイン開閉ユニットを通じる外部空気の投入が遮断される場合、上記補助開閉ユニットを通じて外部空気が上記ボイラー本体の内部に供給されて上記木材燃料の火種を保持することを特徴とする。
【００１３】
一実施例によれば、上記ボイラー本体の内部には、その内部空間を上部及び下部に隔離するように設置される火室天井部材がその内部を横切るように設置され、上記ボイラー本体の内部空間は、上記火室天井部材の下部に設けられて、上記木材燃料を燃焼させるための燃焼室と、上記火室天井部材の上部に設けられて、上記燃焼室と上記排煙出口とを連結する連結通路とに分けられることができる。
【００１４】
一実施例によれば、上記火室天井部材は上記ボイラー本体の内部空間で水平方向に横切るように設置され、内部に上記低湯水収容部を有することができる。
【００１５】
一実施例によれば、上記火室天井部材の下面には所定深さに凹まれるように形成されて、上記燃焼室の熱気が留まるようにする陷沒部が形成され、上記火室天井部材の上面は上記排煙出口方へ行くほど上向きに傾斜するように形成されることができる。
【００１６】
一実施例によれば、上記連結通路と上記排煙出口との境界部分に位置されるように、上記連結通路の天井に設置されて、上記連結通路を通じて外部へ排出される燃焼熱気を停滞させる遮断部材をさらに含むことができる。
【００１７】
一実施例によれば、上記低湯水収容部に収容された低湯水が加熱されて、上記低湯水収容部内の圧力が上昇する時、上記低湯水収容部内の圧力によって回動されながら圧力を下降させるように、上記ボイラー本体の上部に回動可能に設置される圧力調節部材をさらに含むことができる。
【００１８】
一実施例によれば、上記メイン開閉ユニットは、上記投入口を開閉させるように、上記ボイラー本体に設置され、上記投入口側に外部空気を注入するように形成される空気注入口を有するメイン開閉ドアと；上記メイン開閉ドアの内部に設置されて、上記制御部によって駆動制御され、駆動の時、外部空気を上記空気注入口を通じて上記ボイラー本体の内部空間に供給する送風機と；上記空気注入口を遮断する遮断位置と開放させる開放位置との間を移動可能に上記メイン開閉ドアに結合される通風口開閉部材と；上記制御部の制御信号によって駆動されて、上記通風口開閉部材を上記開放位置と遮断位置との間で移動させる開閉モーターと；を含むことができる。
【００１９】
一実施例によれば、上記補助開閉ユニットは、上記空気投入孔を開閉させるように、上記ボイラー本体に設置され、空気が流入される中間流入口と、空気が排出される中間排出口が互いに離間されるように形成された補助開閉ドアと；上記補助開閉ドアの前面に結合されて、外部空気が流入される外側流入口が形成された外側ドアと；上記補助開閉ドアの背面に結合され、上記中間排出口を通じて排出された空気を上記ボイラー本体の内部に流入させる内側流出口が形成された内側ドアとを含むことができる。
【００２０】
一実施例によれば、上記外側流入口は上記外側ドアの下部領域に配置され、上記中間流入口は上記補助開閉ドアの下部領域に配置され、上記中間排出口は上記補助開閉ドアの上部領域に配置され、上記内側流出口は上記内側ドアの下部領域に配置され、外部空気は上記ボイラー本体の内部に流入され、上記ボイラー本体の内部の燃焼ガスは上記ボイラー本体の外部へ排出されることができない。
【発明の効果】
【００２１】
本発明の薪ボイラーによれば、メイン開閉ユニットと補助開閉ユニットの制御によって空気量が制御されて、火種は保存されるが過燃焼されないように保持されることができる。
【００２２】
特に、メイン開閉ユニットが閉鎖された状態で、内部圧力によって補助開閉ユニットを通じて微細量の外部空気が吸入されながら流入されて、火種が消えないで保持されることができる。
【００２３】
火種が消えないで保持されるので、木材燃料の燃焼、消火、点火を容易に制御することができる。従って、木材燃料の特性を克服して、木材燃料の使用を最小化しながら、低湯水を所定温度に保持させることができ、火種を長時間保持させることによってボイラーの管理が容易になるという長所がある。
【００２４】
従って、既存の薪ボイラーで暖房のために一日に数回ずつ木材燃料を投入しなければならないが、これに対して、本発明の場合には、一日１回木材燃料を投入しても、必要な時点だけ選択的に燃焼させ、火種のみを長時間保存させることができることによって、燃料を一回投入するだけで、一日またはそれ以上暖房を保持することができるという長所があって、保持管理が容易であるという長所がある。
【００２５】
また、低湯水が加熱されて低湯水収容部の内部圧力が上昇しても、圧力調節部材が圧力によって移動されて開放されながら圧力を調節することによって爆発などを防止して安全性を高めることができる。
【図面の簡単な説明】
【００２６】
【図１】本発明の実施例による薪ボイラーの外部構成を示す斜視図である。
【図２】図１に示す薪ボイラーの燃焼中止状態と燃焼状態の断面構成を概略的に示した断面図である。
【図３】図１に示す薪ボイラーの燃焼中止状態と燃焼状態の断面構成を概略的に示した断面図である。
【図４ａ】本発明による薪ボイラーのメイン開閉部の構成を示した図面である。
【図４ｂ】本発明による薪ボイラーのメイン開閉部の構成を示した図面である。
【図５ａ】本発明によるメイン開閉部の通風口開閉部材の動作過程を示した例示図である。
【図５ｂ】本発明によるメイン開閉部の通風口開閉部材の動作過程を示した例示図である。
【図６ａ】本発明による薪ボイラーの補助開閉部の構成を示した図面である。
【図６ｂ】本発明による薪ボイラーの補助開閉部の構成を示した図面である。
【図６ｃ】本発明による薪ボイラーの補助開閉部の構成を示した図面である。
【発明を実施するための形態】
【００２７】
以下添付された図面を参照して本発明の実施例による薪ボイラーを詳しく説明する。
【００２８】
図１、図２及び図３によれば、本発明の実施例による薪ボイラー１は、ボイラー本体１０と、ボイラー本体１０の下部領域に設置されるメイン開閉ユニット２０と、上記ボイラー本体１０にメイン開閉ユニット２０の上部領域に設置される補助開閉ユニット３０と、ボイラー本体１０内部の低湯水の温度を感知する温度センサー４０と、低湯水の温度によってメイン開閉ユニット２０の開閉を制御する制御部５０とを備える。
【００２９】
ボイラー本体１０は、その内部に木材燃料を燃焼させて熱エネルギーを発生させるための内部空間１１を有する。そして、ボイラー本体１０の前面には木材燃料を投入するための投入口１２と空気投入孔１３が上下に形成され、上部には煙突７０が連結される排煙出口１４が形成される。投入口１２は空気投入孔１３より低い位置に形成され、空気投入孔１３より大きい大きさに形成される。
【００３０】
また、ボイラー本体１０は低湯水Ｗが収容されるように低湯水収容部１５を有し、低湯水収容部１５はボイラー本体１０の全体にかけて一体に形成される。低湯水収容部１５に収容された低湯水は、内部空間１１で燃焼される木材燃料の燃焼熱によって加熱されて、必要な使用先（暖房のための場所または給湯使用先を含む）に供給されることができる。この時、低湯水収容部１５内には暖房配管Ａが備えられることができる。
【００３１】
そして、低湯水収容部１５の低湯水Ｗは、低湯水収容部１５を１００％満たさないで、所定余裕空間１５ａを有するように満たされる。余裕空間１５ａは適切に設計されることができる。低湯水収容部１５の内部にはボールタップ１９ａが移動軸１９ｂに沿って回動可能に設置されて、低湯水Ｗの水位を感知する。ボールタップ１９ａで感知された水位によって自動給水装置１９ｃが低湯水を補充する。自動給水装置１９ｃは給水供給ライン（図示しない）と連結される。
【００３２】
また、排煙出口１４に隣接して空気投入孔１３が形成され、空気投入孔１３は投入口１２が完全に閉められた状態で、内部空間１１内で火種が完全に消火されないで、長時間保存されることができるように補助開閉ユニット３０を通じて最小限の外部空気を供給するために形成される。
【００３３】
ボイラー本体１０の上部には低湯水収容部１５の低湯水Ｗが加熱されて内部圧力が上昇される場合、ボイラー本体１０の爆発などを防止するように、低湯水収容部１５の圧力を外部へ抜き取るための圧力調節部材６０が設置される。圧力調節部材６０はボイラー本体１０の上部に形成された圧力排出口１６に回動可能に設置され、好ましくは、所定圧力以上の圧力が発生する時に圧力によって強制的に回動されて、圧力が外部に排出されるようにし、所定圧力以下に落ちると、自重によって復帰されて圧力排出口１６を閉めるようになる。
【００３４】
このように、自重によって回動して復帰されるように圧力調節部材６０を設置することによって、長時間使用する際に蒸気に露出されても故障や作動不良が発生されなくなる。即ち、例えば、圧力タンクなどに用いられる安全弁を設置する場合には、低湯水Ｗが水であることから、長時間使用すると蒸気に安全弁が露出されて酸化されることによって故障の原因になり、この場合、圧力調節が正常に行われなくて、爆発の危険性が高い。一方、本発明のように、重量を有する圧力調節部材６０を設置することによって、爆発危険からボイラー本体１０を安全に保護して、安全事故を防止することができる。
【００３５】
ボイラー本体１０の内部空間１１は下部の燃焼室１１ａと上部の連結通路１１ｂと分けられる。燃焼室１１ａと連結通路１１ｂを区切るように、ボイラー本体１０の内部には火室天井部材１７が設置される。上記火室天井部材１７は上記内部空間１１を上部及び下部に隔離するようにボイラー本体１０の内部で水平方向に設置され、低湯水Ｗが収容される低湯水収容部１５を有する。火室天井部材１７の下部には木材燃料を燃焼させるための燃焼室１１ａが形成され、火室天井部材１７の上部には燃焼室１１ａと排煙出口１４とを連結する連結通路１１ｂが形成される。
【００３６】
火室天井部材１７はその下面が所定深さに凹まれて形成されて、燃焼室１１ａに燃焼の際発生される熱気、即ち、熱エネルギーが留まるように陷沒部１７ａが形成される。そして、上記火室天井部材１７の上面は上記排煙出口１４の方へ行くほど上向きに傾斜されるように形成された傾斜面１７ｂであれば良い。傾斜面１７ｂによって上記連結通路１１ｂは火室天井部材１７の端部から排煙出口１４の方へ行くほどその幅が漸進に減少する。そして、連結通路１１ｂの端部に排煙出口１４と空気投入孔１３がそれぞれ形成される。このように、上記傾斜面１７ｂを形成することによって、燃焼室１１ａで生成されて、連結通路１１ｂで移動していた木草液を煤と一緒に再び燃焼室１１ａに流して灰再燃焼させることができて、燃料の效率を高め、且つ木草液のボイラー外部への排出による使用者の不便を防止することができる。
【００３７】
また、木草液と煤の発生を最小化させることによって、連結通路１１ｂはもちろん煙突７０内部の汚染を抑制して、使用者がボイラー本体１０の内部及び煙突７０を掃除するなどの管理費用及び労動力を減らすことができて、メンテナンス費用を低減することができるようになる。
【００３８】
一方、陷沒部１７ａの内部には燃料によって生成された火炎の移動を妨害して、燃焼室１１ａの内部で火炎の停滞時間を増加させる干渉棒Ｂが複数備えられる。干渉棒Ｂによって、火炎は、図３に示したように、干渉棒Ｂを越えて移動するので、燃焼室１１ａの内部での滞留時間が増加され、高熱を受ける電熱面積が増加されて燃焼熱の回収率を大幅に高めることができる。
【００３９】
これによって、燃焼室１１ａで燃焼する際に発生した熱気の大部分は火室天井部材１７の下部の陷沒部１７ａに留まりながら、火室天井部材１７を充分加熱し、その冷えた熱気は、図３の矢印方向に移動して連結通路１１ｂを通じて排煙出口１４から排出される。
【００４０】
この時、完全に燃焼されていない燃焼ガスが連結通路１１ｂに暫く留まりながら２次的に燃焼されることができるように、連結通路１１ｂと排煙出口１４との境界部分には遮断部材１８が設置される。遮断部材１８は連結通路１１ｂの天井に設置されることによって、連結通路１１ｂを通じて移動する燃焼ガス及び熱気などが高温で留まりながら不完全燃焼ガスに酸素が供給されて、２次燃焼とともに木草液を燃やし、熱エネルギーが排煙出口１４から排出されることを引き延ばすことによって熱效率を高めることができる。
【００４１】
図４ａ〜図４ｃは本発明の薪ボイラー１のメイン開閉ユニット２０の構成を示した斜視図、断面図及び概路図を示した図面である。
【００４２】
図示したように、メイン開閉ユニット２０は投入口１２を開閉させるようにボイラー本体１０の外側に設置される。メイン開閉ユニット２０は制御部５０の制御によって開閉され、ボイラー本体１０の内部への酸素供給を制御する。メイン開閉ユニット２０はメイン開閉ドア２１と、メイン開閉ドア２１の内側に結合された結合板２３と、第２空気注入口２２ａを選択的に開閉する通風口開閉部材２４と、第２空気注入口２２ａを通じて酸素を供給する送風機２５と、通風口開閉部材２４を駆動させる開閉モーター２７とを含む。
【００４３】
メイン開閉ドア２１は投入口１２の全体を選択的に開閉させることができるように、ボイラー本体１０の外側に回動可能に設置される。メイン開閉ドア２１は投入口１２側に外部の空気を注入するようにする第１空気注入口２１ａを有し、内部に送風機２５と通風口開閉部材２４及び開閉モーター２７が設置されることができる空間を有する。
【００４４】
メイン開閉ドア２１は少なくとも二重ロッキング装置（図示しない）によって安全に投入口１２を閉鎖させた状態を保持することができるように設置され、木材燃料を燃焼室１１ａに投入しようとする際にはメイン開閉ドア２１を回動させて投入口１２を開放させることができる。
【００４５】
メイン開閉ドア２１の外側面には外部から空気が流入される第１空気注入口２１ａが形成され、メイン開閉ドア２１の内側面には第１空気注入口２１ａを通じて供給された空気をボイラー本体１０内部に流入させる第２空気注入口２２ａが備えられる。
【００４６】
第２空気注入口２２ａに流入された空気はメイン開閉ドア２１の内側に結合された結合板２３上に形成された空気排出口２３ａを通じてボイラー本体１０に流入される。
【００４７】
送風機２５はメイン開閉ドア２１の内部に設置され、駆動の時、外部空気を上記空気注入口２１ａ、２２ａ、２３ａを通じて燃焼室１１ａの内部に供給することができる。このような送風機２５は制御部５０の駆動信号によって駆動及び停止されるように制御される。送風機２５が駆動されながら外部空気を燃焼室１１ａに供給すると、燃焼室１１ａの木材燃料が外部空気を受けて燃焼状態を保持して、燃焼エネルギーを発生させることができる。そして、送風機２５の停止時には、第２空気注入口２２ａが通風口開閉部材２４によって密閉されて、外部空気が供給されないので、燃焼室１１ａ内の木材燃料は燃焼されなくなる。
【００４８】
通風口開閉部材２４はメイン開閉ドア２１と隣接して配置された複数の空気注入口２１ａ、２２ａ、２３ａ中の何れか一つ、好ましくは中間に位置した空気注入口２２ａを選択的に開放及び閉鎖させるようにメイン開閉ドア２１に設置される。
【００４９】
通風口開閉部材２４は、図５ａ及び図５ｂに示したように、開閉モーター２７によって回動可能に備えられる。通風口開閉部材２４は第２空気注入口２２ａを遮断する遮断位置（図５ｂの状態）と、第２空気注入口２２ａを開放させる開放位置（図５ａの状態）との間で移動可能に設置される。
【００５０】
通風口開閉部材２４の板面には第２空気注入口２２ａと位置整列されるように備えられた開閉口２４ａが貫通形成される。通風口開閉部材２４は、ボイラー本体１０の内部に空気を流入させる場合、開閉モーター２７によって開閉口２４ａと第２空気注入口２２ａとが一列に配置されるように開放位置に回動される。これによって空気が連通して移動することができる。
【００５１】
一方、空気流入を遮断する場合、通風口開閉部材２４は、図５ｂに示したように、開閉モーター２７によって遮断位置に回動されて開閉口２４ａと第２空気注入口２２ａの位置が相互ズレながら通風口２２ａを閉鎖する。これによって、ボイラー本体１０の内部への空気流入が遮断される。
【００５２】
開閉モーター２７は通風口開閉部材２４を開放位置と遮断位置との間で移動されるように駆動させる両方向駆動モーターを備える。開閉モーター２７は制御部５０の制御信号によって、回転駆動及び停止されることによって、第２空気注入口２２ａを開放及び閉鎖させることができる。
【００５３】
通風口開閉部材２４が摺動可能に設置される場合、開閉モーター２７は両方向駆動モーターの代りにソレノイドまたは油圧シリンダーユニットであってもよく、その外にも多様な駆動装置が適用されることができることは当然である。
【００５４】
一方、メイン開閉ドア２１と結合板２３との結合領域にはパッキング部材２２が備えられて気密が保持される。
【００５５】
図６ａ〜図６ｃは本発明による補助開閉ユニット３０の構成を示した斜視図、分解斜視図及び断面図である。
【００５６】
補助開閉ユニット３０はメイン開閉ユニット２０によってボイラー本体１０への空気流入が遮られた場合、最小量の空気をボイラー本体１０の内部に供給して、火種が消えないで保持されるようにする。
【００５７】
補助開閉ユニット３０は、投入孔１３に開閉可能に設置される補助開閉ドア３１と、補助開閉ドア３１の外側に設置される外側ドア３２と、補助開閉ドア３１の内側に設置される内側ドア３４とを含む。
【００５８】
補助開閉ドア３１の両側壁には外側ドア３２から空気が流入される中間流入口３１ａと、中間流入口３１ａに流入された空気を排出する中間排出口３３ａとが備えられる。
【００５９】
外側ドア３２の板面には外部空気を流入する外側流入口３２ａが備えられ、内側ドア３４の板面には補助開閉ドア３１を通過した空気をボイラー本体１０内部に流出させる内側流出口３４ａが備えられる。
【００６０】
ここで、外側流入口３２ａと中間流入口３１ａは補助開閉ドア３１の下部領域に配置され、中間排出口３３ａは補助開閉ドア３１の上部領域に備えられる。また、内側流出口３４ａは下部領域に備えられる。
【００６１】
即ち、外側から内側に至る空気移動経路が、矢印に示すように、上下にジグザグ形態に配置されて、外部の空気はボイラー本体１０内部の吸入圧力によって自然に流入されるが、ボイラー本体１０内部の燃焼ガスは外部に排出されない。
【００６２】
このように補助開閉ユニット３０を設置すれば、上記メイン開閉ユニット２０によって投入口１２が遮断されて、投入口１２を通じて外部空気の供給が中止された状態で、空気投入孔１３及び連結通路１１ｂを通じて最小限の外部空気を燃焼室１１ａに供給することができる。このように、投入口１２が遮断された状態では、木材燃料は燃焼されなくなり、空気投入孔１３を通じて最小限の外部空気が供給されることによって、燃焼室１１ａで燃焼された木材燃料の火種が完全に消火されないで、長時間火種の状態に保持されることができる。
【００６３】
温度センサー４０はボイラー本体１０の低湯水収容部１５に収容された低湯水Ｗの温度を感知するように設置される。この温度センサー４０で感知された情報は制御部５０に伝達される。
【００６４】
制御部５０は温度センサー４０で感知された温度情報に基づいて、メイン開閉ユニット２０を通じる燃焼室１１ａへの外部空気の供給及び遮断を制御する。メイン開閉ユニット２０を通じる外部空気の供給を遮断の時には補助開閉ユニット３０を通じて最小限の外部空気がボイラー本体１０の内部、即ち、燃焼室１１ａに供給されることができるようにすることによって、燃焼室１１ａでの薪の消火状態で火種を長時間保存させることができる。
【００６５】
制御部５０は温度センサー４０で感知された温度が基準温度以下になると、上記開閉モーター２７を駆動制御して第２空気注入孔２２ａを開放させ、送風機２５を駆動させて外部空気を投入口１２を通じて燃焼室１１ａに投入されるようにすることによって、木材燃料の火力を大きくし、低湯水Ｗが基準温度になるまで木材燃料を燃焼させる。
【００６６】
そして、温度センサー４０で感知された温度が基準温度に到逹すれば、制御部５０は送風機２５の駆動を中止させ、開閉モーター２７を制御して空気投入孔１３を閉鎖させることによって、投入口１２を通じる外部空気の供給を遮断する。
【００６７】
この時、燃焼室１１ａ内部の酸素不足で吸入力が発生されて補助開閉ユニット３０を通じて内部に流入された酸素が燃焼室１１ａに拡散して移動される。それで、燃焼室１１ａでは木材燃料の燃焼が中止されてこれ以上の熱エネルギーが発生しなくなり、補助開閉ユニット３０を通じて供給された最小限の外部空気によって燃焼室１１ａに残っていた火種が消えないで、火種状態で長時間保持されることができる。従って、火種状態で再び投入口１２を通じて外部空気を大量供給すれば、再び燃焼が起きることによって、木材燃料にも関らず燃焼及び消火を容易に制御することができ、不必要な燃料の無駄使いを防止することができる。
【産業上の利用可能性】
【００６８】
本発明の薪ボイラーによれば、メイン開閉ユニットと補助開閉ユニットの制御によって空気量が制御されて火種は保存されるが、過燃焼が発生しないように保持されることができる。
【００６９】
特に、メイン開閉ユニットが閉鎖された状態で、内部圧力によって補助開閉ユニットを通じて微細量の外部空気が吸入されながら流入されて火種が消えないで保持されることができる。
【００７０】
火種が消えないで保持されるので、木材燃料の燃焼、消火、点火を容易に制御することができる。従って、木材燃料の特性を克服して、木材燃料の使用を最小化しながら低湯水を所定温度に保持させることができ、火種を長期間保持させることによってボイラーの管理が容易になるという利点があるので、産業上の利用可能性が十分である。
【符号の説明】
【００７１】
１：薪ボイラー  
１０：ボイラー本体
１１ａ：燃焼室  
１１ｂ：連結通路
１２：投入口  
１３：空気投入孔
１４：排煙出口  
１７：火室天井部材
１７ａ：陷沒部  
１７ｂ：傾斜部
１８：遮断部材  
１９ａ：ボールタップ
１９ｂ：移動軸  
１９ｃ：自動給水装置
２０：メイン開閉ユニット  
２１：メイン開閉ドア
２１ａ：第１空気注入口  
２２：パッキング部材
２２ａ：第２空気注入口  
２３：結合板
２３ａ：空気排出口  
２４：通風口開閉部材
２４ａ：開閉口  
２５：送風機
２７：開閉モーター  
３０：補助開閉ユニット
３１：補助開閉ドア  
３１ａ：中間流入口
３１ｂ：中間排出口  
３２：外側ドア
３２ａ：外側流入口  
３３：パッキング
３４：内側ドア  
３４ａ：内側流出口
４０：温度センサー  
５０：制御部
６０：圧力調節部材  
７０：煙突
【図１】
2013531775.tif 000003
【図２】
2013531775.tif 000004
【図３】
2013531775.tif 000005
【図４ａ】
2013531775.tif 000006
【図４ｂ】
2013531775.tif 000007
【図４ｃ】
2013531775.tif 000008
【図５ａ】
2013531775.tif 000009
【図５ｂ】
2013531775.tif 000010
【図６ａ】
2013531775.tif 000011
【図６ｂ】
2013531775.tif 000012
【図６ｃ】
2013531775.tif 000013
【国際調査報告】
2013531775.tif 000014
2013531775.tif 000015
2013531775.tif 000016
2013531775.tif 000017